(57)【要約】【課題】部品点数を増大させることなく、指針の回動角度に応じて、指針本体発光色を変えることが出来るメータ指針照明構造を提供する。【解決手段】軸開口１８ｂの周縁部１８ｄのうち、前記レッドゾーン２７に対応する部分には、光源１２と基部２５との間の光路に位置して、赤色に着色されて、無色の無着色層２９に連設して扇形を呈する着色層２８を、発光色調整部３０に設けている。この着色層２８は、文字板１８の無色透明の基板２０の上に、レッドゾーン２７を塗装する際に用いられる赤色の塗料によって、同時に塗装されている。【選択図】  図１
2004286481.tif 000002
【特許請求の範囲】
【請求項１】
文字板に形成された軸開口に挿通される回動軸を有する基部を設けて、該回動軸の回動によって、該基部から前記文字板の表面に沿って水平に延設される指針本体を回動させると共に、前記文字板の裏面側に設けられた光源からの照光を、前記基部に形成された反射部で反射させて、前記指針本体を全域に渡り発光させるメータ指針照明構造であって、
前記軸開口の周縁部のうち、少なくとも一部には、前記光源と前記基部との間の光路に位置して、有色に着色された着色部を有する発光色調整部が設けられていることを特徴とするメータ指針照明構造。
【請求項２】
前記着色部は、メータ指針の回動角度のうち、一定の範囲内の回動角度で、前記光路に介在する扇形を呈することを特徴とする請求項１記載のメータ指針照明構造。
【請求項３】
前記着色部の形成される位置を、前記文字板の表面側に設けられた目盛り部のレッドゾーンと一致させて、該着色部の色彩を注意喚起色としたことを特徴とする請求項１又は２記載のメータ指針照明構造。
【発明の詳細な説明】
【０００１】
【発明の属する技術分野】
この発明は、車両のメータ計器に用いられる指針を照明するメータ指針照明構造に関し、特に、自動車等、車両に搭載されて好適なメータ指針照明構造に関する。
【０００２】
【従来の技術】
従来、図６及び図７に示すような自動車等の車両に搭載されるメータの指針照明構造が知られている（例えば、特許文献１参照）。
【０００３】
まず、構成から説明すると、この従来のメータ指針照明構造では、アナログメータ装置１を構成する文字板２及びこの文字板２の裏面側２ａに設けられた導光板３には、軸開口２ｂ及び３ａが各々開口形成されている。これらの軸開口２ｂ及び３ａ周縁部には、前記カラー部材９が嵌着されている。
【０００４】
また、これらの軸開口２ｂ及び３ａには、この文字板２の裏面側に配設されるムーブメント４の回動軸５が挿通されている。
【０００５】
この回動軸５の先端５ａには、指針６の基部７が接続されている。また、この基部７からは、前記文字板２の表面に沿って、指針本体８が水平に延設されている。更に、この基部７には、キャップ部材１０及び遮光部材１１が上，下から合わせて装着されている。このうち、遮光部材１１には、扇形の開口部１１ａが形成されている。
【０００６】
また、この基部７には、前記文字板２の裏面側に設けられた光源１２からの照光Ｅが、前記導光板３を介して導かれると共に、この基部７に形成された反射部としての反射面１３で反射されて、前記指針本体８を全域Ｌに渡り発光させるように構成されている。
【０００７】
そして、前記ムーブメント４の駆動に伴う回動軸５の回動に応じて、前記指針本体８が回動されて、図示省略の目盛り部の測定値の位置を指示するように構成されている。
【０００８】
次に、この従来のメータ指針照明構造の作用について説明する。
【０００９】
このように構成された従来のメータ指針照明構造では、前記ムーブメント４の駆動に伴う回動軸５の回動によって、前記基部７から前記文字板２の表面に沿って水平に延設される指針本体８が回動される。
【００１０】
そして、この指針本体８の回動により、図示省略の目盛り部の測定値の位置を、この指針本体８の先端が指示する。
【００１１】
また、前記光源１２を点灯すると、照光Ｅが、前記導光板３を介して導かれて、前記遮光部材１１の開口部１１ａから前記基部７内に導かれる。
【００１２】
そして、この基部７に形成された反射部としての反射面１３で、この照光Ｅが反射されて、前記指針本体８を全域Ｌに渡り発光させる。
【００１３】
この際、前記カラー部材９と、遮光部材１１とが、上下方向で、所定高さｈに渡り重複されているので、照光Ｅが、前記キャッブ部材１０と前記文字板２との間から漏れることが防止される。
【００１４】
【特許文献１】
特開２０００−１９３４９７号公報（
【００１５】乃至
【００１９】段落、図１、図２、図３）
【００１５】
【発明が解決しようとする課題】
しかしながら、前記従来のメータ指針照明構造では、前記指針６の回動角度に応じて、指針本体８の発光色を変えようとすると、異なる色彩の光源１２に切り換えて点灯しなければならなかった。
【００１６】
このため、部品点数が増大して、製造コストが上昇してしまうといった問題があった。
【００１７】
そこで、本発明の目的は、部品点数を増大させることなく、指針の回動角度に応じて、指針本体発光色を変えることが出来るメータ指針照明構造を提供することにある。
【００１８】
【課題を解決するための手段】
本発明は、かかる問題点に着目してなされたもので、請求項１に係る発明では、文字板に形成された軸開口に挿通される回動軸を有する基部を設けて、該回動軸の回動によって、該基部から前記文字板の表面に沿って水平に延設される指針本体を回動させると共に、前記文字板の裏面側に設けられた光源からの照光を、前記基部に形成された反射部で反射させて、前記指針本体を全域に渡り発光させるメータ指針照明構造であって、前記軸開口の周縁部のうち、少なくとも一部には、前記光源と前記基部との間の光路に位置して、有色に着色された着色部を有する発光色調整部が設けられているメータ指針照明構造を特徴としている。
【００１９】
このように構成された請求項１記載のものでは、前記発光色調整部を前記光路が、通過する際、着色部に着色された色彩を与えられて、前記光源の照光が、前記基部内に導かれる。
【００２０】
前記指針本体は、前記回動軸を中心として、回動される際、前記着色部を光源からの照光が通過している場合に、着色された色彩で発光する。
【００２１】
このため、例えば、回動角度によって、前記着色部に照光を通過させるようにすれば、光源等の部品点数を増大させることなく、指針本体発光色を変えることが出来る。
【００２２】
また、請求項２に記載されたものでは、前記着色部は、メータ指針の回動角度のうち、一定の範囲内の回動角度で、前記光路に介在する扇形を呈する請求項１記載のメータ指針照明構造を特徴としている。
【００２３】
このように構成された請求項２記載のものでは、前記着色部が、扇形を呈していて、前記メータ指針の回動角度のうち、一定の範囲内の回動角度で、前記光路に介在することにより、照光が着色される。
【００２４】
更に、請求項３に記載されたものでは、前記着色部の形成される位置を、前記文字板の表面側に設けられた目盛り部のレッドゾーンと一致させて、該着色部の色彩を注意喚起色とした請求項１又は２記載のメータ指針照明構造を特徴としている。
【００２５】
このように構成された請求項３記載のものでは、前記着色部の形成される位置を、前記文字板の表面側に設けられた目盛り部のレッドゾーンと一致させているので、前記指針本体が、前記レッドゾーンに差し掛かると、前記注意喚起色で発光して、乗員に注意を促すことができる。
【００２６】
【発明の実施の形態１】
図１乃至図５は、この発明の実施の形態１のメータ指針照明構造を示すものである。
【００２７】
なお、前記従来例と同一乃至均等な部分については、同一符号を付して説明する。
【００２８】
まず、構成から説明すると、この実施の形態１のメータ指針照明構造では、メータ装置としてのアナログタコメータ装置１５が、他の水温計１６等のメータ類及び、パネル表示装置１７等と共に、ハウジング１４ａ内に収納されて、コンビネーションメータ１４が主に構成されている。
【００２９】
このコンビネーションメータ１４には、パネル状の文字板１８及びこの文字板１８の裏面側１８ａに設けられた導光板１９が設けられている。
【００３０】
このうち、前記文字板１８は、図４に示すように、無色透明のアクリル合成樹脂材料から主に構成される基板２０を有し、この基板２０の表面側に、目盛り部１８ｃ及びその背景のための多色刷りによる印刷層２１が設けられている。
【００３１】
また、この基板２０の裏面側には、接着層２２を介して、前記導光板１９が接着固定されていて、図３に示すように、この文字板１８の裏面側で、ムーブメント４を支持する回路基板２３には、光源１２が設けられている。
【００３２】
そして、この光源１２の照光Ｅ１が、前記軸開口１８ｂに対応させて形成された軸開口１９ａの周縁部に形成された略円錐状反射面１９ｂによって反射されて、前記軸開口１８ｂの周縁部１８ｄを介して、表面側に向けて導かれるように構成されている。
【００３３】
そして、これらの軸開口１８ｂには、この文字板２の裏面側に配設されるムーブメント４の回動軸５が挿通されている。
【００３４】
この回動軸５の先端５ａには、指針２４の基部２５を構成するボス部２５ａに挿通されて接続されている。また、この基部２５からは、前記文字板２の表面に沿って、指針本体２６が水平に延設されている。この実施の形態１では、前記指針本体２６が、透明なオレンジ色に着色されている。
【００３５】
この基部２５の前記回動軸５が挿通された回動中心部分と、前記指針本体２６との間には、反射部としての反射面２５ｂが形成されている。そして、前記周縁部１８ｄを通過した照光が、この反射面２５ｂで反射されて、前記指針本体２６を略全域Ｌ１に渡り発光させるように構成されている。
【００３６】
前記軸開口１８ｂの周縁部１８ｂのうち、図２に示す前記目盛り部１８ｃのレッドゾーン２７によって示されるエンジン回転数高回転域Ｋと一致する角度の範囲には、前記光源１２と前記基部２５との間の光路に位置して、有色の注意喚起色である赤色に着色された着色部としての着色層２８からなる発光色調整部３０が設けられている。
【００３７】
すなわち、図４及び図５に示すように、前記文字板１８の軸開口部１８ｂでは、前記印刷層２１のうち、最も表面側に位置する黒色の背景層２１ａの円形の開口直径Ｄ２を、前記軸開口１８ｄの開口直径Ｄ１よりも大きく形成されるように印刷することにより、透明の基板２０のうち、図２に示すエンジン回転数常用域Ｊに対応する指針２４の回動範囲Ｓ１を周縁部１８ｄに形成される透明扇形の透過部２０ａとして、文字板１８の表面側に導かれる前記照光Ｅ１が、着色されていない無着色層２９が設けられて、そのまま透過されるように構成されている。
【００３８】
また、この周縁部１８ｄのうち、前記発光色調整部３０は、前記透過部２０ａと円周方向で連設されて、前記目盛り部１８ｃのレッドゾーン２７と一致する角度の範囲に設けられた回動範囲Ｓ２に、図５中、網掛け部分に示すような扇形を呈するように設けられている。
【００３９】
この実施の形態１の発光色調整層３０は、前記レッドゾーン２７に塗装される赤色の塗料によって構成されていて、前記レッドゾーン２７を塗装する際に、同時に塗装されるように構成されている。
【００４０】
また、この基部２５には、図１に示すように、前記指針本体２６を挿入する下向きに開放されたスリット３１ａを有するキャップ部材１０が下方に向けて突設されたピン部３１ｂ，３１ｂを、前記基部２５に形成されたピン孔２５ｃ，２５ｃに挿通させことにより、上方向から嵌着されて装着されている。
【００４１】
そして、前記ムーブメント４の駆動に伴う回動軸５の回動に応じて、前記指針本体２６が、基部２５と共に回動されて、目盛り部の測定値の位置を指示するように構成されている。
【００４２】
更に、この実施の形態１のメータ指針照明構造では、図４に示すように、前記周縁部１８ｄと略同一面積で、略同一形状の無接着部３２が、前記接着層２２に形成されて、前記接着層２２を通過する際に比して、この無接着部３２を通過する際の色彩の変化及び減光が緩和されている。
【００４３】
なお、前記水温計１６及びスピードメータ等の他の計器についても、略同様の構成であるので説明を省略する。
【００４４】
次に、この実施の形態１のメータ指針照明構造の作用について説明する。
【００４５】
この実施の形態１のメータ指針照明構造では、前記発光色調整部３０が、前記光路に位置するので、前記光源１２の照光が、前記導光板１９を介して、この発光色調整部３０を通過する際、前記着色層２８又は無着色層２９で、色彩が調整されて、前記基部２５内に導かれる。
【００４６】
この実施の形態１の前記指針本体２６は、透明なオレンジ色に着色されているので、指針本体２６が、前記回動軸５を中心として、回動される際、前記常用域Ｊでは、前記基部２５の反射面２５ｂが、前記周縁部１８ｄのうち、前記無着色部２９の上方に位置して、対向する。
【００４７】
この無着色部２９では、照光に色彩が加えられず、そのまま、前記無着色部２９を通過した照光が、前記反射面２５ｂで、指針本体２６の先端方向に向けて、前記基部２５の反射面２５ｂで、反射されて、前記指針本体２６が有するオレンジ色で略全長に渡り、この指針本体２６を発光させる。
【００４８】
このため、エンジン回転数常用域Ｊでは、指針本体２６の色彩が、通常走行に用いる範囲内であることを、更に確実に乗員に認識させることができる。
【００４９】
そして、エンジン回転数が上がり、指針本体２６の先端が、レッドゾーン２７内に到達すると、基部２５では、前記反射面２５ｂが、前記周縁部１８ｄのうち、前記着色部２８の上方に位置して、対向する。
【００５０】
このため、前記光源１２からの照光が、この着色層２８を通過する際、前記指針本体２６のオレンジ色に、この着色された赤色の色彩が、加えられて、照光が濃い赤色となる。
【００５１】
そして、濃い赤色の色彩の照光が、指針本体２６の先端方向に向けて、前記反射面２５ｂで反射され、前記指針本体２６を略全長Ｌ１に渡り、発光させる。
【００５２】
このように、指針２４の回動角度によって、前記着色部２８に照光を通過させるか、前記無着色部２９に照光を通過させるようにしているので、光源１２等を、赤色、及びオレンジ色等、色彩毎に複数設ける必要がなく、部品点数を増大させずに、指針本体２６の発光色を変えることが出来る。
【００５３】
また、前記着色層２８が、扇形を呈していて、前記指針２４の回動角度のうち、一定の範囲内の回動角度で、前記光源１２からの光路に介在することにより、照光が着色される。
【００５４】
このため、前記着色層２８の形成される位置を、前記文字板１８の表面側に設けられた目盛り部１８ｃのレッドゾーン２７と一致させて、前記指針本体２６の先端が、前記レッドゾーン２７にさしかかると、前記注意喚起色である濃い赤色で発光して、乗員に注意を促すことができる。
【００５５】
更に、この実施の形態１では、前記アナログタコメータ１６に隣接し、略同様に色彩調整部を有して構成された水温計１６の指針の光源を、このアナログタコメータ１６の指針本体２６の照明に用いる前記光源１２で兼用する様に構成すれば、更に、光源１２の数量の増大を抑制出来、製造コストの増大が抑制される。
【００５６】
この際、水温計１６の色彩調整部では、着色部の色彩を前記着色層２８と異なる色彩で構成することが容易に出来、コンビネーションメータ１４の設計の自由度が増大する。
【００５７】
また、この実施の形態１では、前記発光色調整層３０が、前記レッドゾーン２７に塗装される赤色の塗料によって構成されていて、前記レッドゾーン２７を塗装する際に、同時に塗装されるので、製造工程数が増大することなく、この点においても、製造コストの増大が抑制される。
【００５８】
更に、この実施の形態１のメータ指針照明構造では、図４に示すように、前記周縁部１８ｄと略同一面積で、略同一形状の無接着部３２が、前記接着層２２に形成されて、前記接着層２２を通過する際に比して、この無接着層３２を通過する際の色彩の変化及び減光が緩和されている。
【００５９】
このため、前記回動軸５が挿通された回動中心部分と、前記指針本体２６との間の限られた範囲に、形成されて、面積を確保し難い前記反射面２５ｂであっても、所望の光量で、前記指針本体２６の略全域Ｌ１に渡り発光させる照光量を得ることができる。
【００６０】
以上、図面を参照して、本発明の実施の形態１のメータ指針照明構造を詳述してきたが、具体的な構成は、この実施の形態１に限らず、本発明の要旨を逸脱しない程度の設計的変更は、本発明に含まれる。
【００６１】
例えば、前記実施の形態１では、発光色調整部３０が、着色層２８及び無着色層２９の２つの部分を連設して設けられているが、特にこれに限らず、例えば、赤色の着色層２８と、無色の無着色層２９との間に、黄色の注意喚起層を扇形に形成して、各層２９，３０，及び注意喚起層を連設させる等、発光色調整部３０の色彩、着色層の数量、及び、材質等の着色方法が特に限定されるものではなく、少なくとも一部が、前記光源１２と前記基部２５との間の光路に位置して、有色に着色された着色部からなるものであるならばよい。
【００６２】
また、メータの種類についても、前記実施の形態１では、アナログタコメータ装置１５を用いて説明してきたが、特に、これに限らず、例えば、速度計、油圧計、内外気温計等、他のアナログメータであっても、指針本体が回動するものであるならばよい。
【００６３】
【発明の効果】
上述してきたように、請求項１記載のものでは、前記発光色調整部を前記光路が、通過する際、着色部に着色された色彩を与えられて、前記光源の照光が、前記基部内に導かれる。
【００６４】
前記指針本体は、前記回動軸を中心として、回動される際、前記着色部を光源からの照光が通過している場合に、着色された色彩で発光する。
【００６５】
このため、例えば、回動角度によって、前記着色部に照光を通過させるようにすれば、光源等の部品点数を増大させることなく、指針本体発光色を変えることが出来る。
【００６６】
また、請求項２に記載されたものでは、前記着色部が、扇形を呈していて、前記メータ指針の回動角度のうち、一定の範囲内の回動角度で、前記光路に介在することにより、照光が着色される。
【００６７】
更に、請求項３に記載されたものでは、前記着色部の形成される位置を、前記文字板の表面側に設けられた目盛り部のレッドゾーンと一致させているので、前記指針本体が、前記レッドゾーンに差し掛かると、前記注意喚起色で発光して、乗員に注意を促すことができる、という実用上有益な効果を発揮する。
【図面の簡単な説明】
【図１】本発明の実施の形態１のメータ指針照明構造を示し、要部の分解斜視図である。
【図２】実施の形態１のメータ指針照明構造で、コンビネーションメータの一部正面図である。
【図３】実施の形態１のメータ指針照明構造で、図２中Ｂ−Ｂ線に沿った位置での断面図である。
【図４】実施の形態１のメータ指針照明構造で、図２中Ｃ−Ｃ線に沿った位置に相当する位置での指針を含む断面図である。
【図５】実施の形態１のメータ指針照明構造で、軸開口の周縁部の構成を説明する正面図である。
【図６】従来のメータ指針照明構造を示し、要部の分解斜視図である。
【図７】従来のメータ指針照明構造で、図６中Ａ−Ａ線に沿った位置に相当する位置での断面図である。
【符号の説明】
５              回動軸
５ａ            先端
１４            コンビネーションメータ
１５            アナログタコメータ（メータ装置）
１８            文字板
１８ｂ          軸開口部
１８ｄ          周縁部
１９            導光板
２４            指針
２５            基部
２５ｂ          反射面
２６            指針本体
２７            レッドゾーン
２８            着色層（着色部）
３０            発光色調整部
【図１】
2004286481.tif 000003
【図２】
2004286481.tif 000004
【図３】
2004286481.tif 000005
【図４】
2004286481.tif 000006
【図５】
2004286481.tif 000007
【図６】
2004286481.tif 000008
【図７】
2004286481.tif 000009